(57)【要約】【課題】光演出器具に調光データが来なかったり、調光データに異常があったり、光演出器具そのものに異常が発生した場合でも光源が消灯することがなく、景観照明でも問題になり難い光演出システムを提供する。【解決手段】マイコン３１は、信号入力部３４が受信したデジタル信号が正常である場合、出力端子ＯＵＴ２から一定のパターンで変化を繰り返す信号を出力し、信号入力部３４が受信したデジタル信号が異常である場合、正常時の信号とは異なる信号を出力し、異常検出制御部３２は、出力端子ＯＵＴ２から出力される信号の状態を検出して、異常時にはマイコン３１の光源３３に対する出力状態に関わらず、光源３３を予め設定された状態で点灯させる。【選択図】図３
2011029055.tif 000002
【特許請求の範囲】
【請求項１】
光源の点灯状態を指示するデジタル信号を生成して出力する制御装置と、
前記制御装置と制御線を介して接続された光演出器具とを具備する光演出システムであって、
前記光演出器具は、光源と、前記制御装置から出力される前記デジタル信号を受けて、前記光源の光出力を制御するマイクロコンピュータと、異常動作を検知した場合に、前記マイクロコンピュータによる前記光源の光出力の制御に関わらず、予め設定された状態で点灯するように制御する異常検出制御部と、を具備する光演出システム。
【請求項２】
前記光演出器具を複数具備し、前記複数の光演出器具のうちの１つが前記制御装置と接続され、残りの光演出器具が光演出器具同士で直列接続されて、前記制御装置から出力されるデジタル信号が前記複数の光演出器具間で順次伝送される構成を成し、
前記複数の光演出器具の夫々は、前記デジタル信号を受信する信号入力部と、前記信号入力部で受信されて前記マイクロコンピュータで利用された後の前記デジタル信号を他の前記光演出器具へ出力する信号出力部とを更に具備する請求項１に記載の光演出システム。
【請求項３】
前記異常検出制御部は、前記マイクロコンピュータの出力端子の電圧の時間的変化を観測することで異常動作を検知する請求項１又は請求項２に記載の光演出システム。
【請求項４】
前記異常検出制御部は、一定時間以上電圧変化が無い場合に異常動作と判断する請求項３に記載の光演出システム。
【請求項５】
前記異常検出制御部は、電源投入時やリセットスイッチ操作時に、前記マイクロコンピュータのリセットが解除されてから異常検知動作を行う請求項４に記載の光演出システム。
【請求項６】
前記異常検出制御部は、異常動作を検知した場合に、前記光源を固定色又は固定の明るさで点灯させる請求項１乃至請求項５のいずれかに記載の光演出システム。
【請求項７】
前記光源は、赤色、緑色及び青色の３色の発光ダイオードである請求項１乃至請求項６のいずれかに記載の光演出システム。
【発明の詳細な説明】
【技術分野】
【０００１】
本発明は、光演出器具を複数台有し、各光演出器具における光源の光出力を制御することにより、光による種々の演出を可能とした光演出システムに関する。
【背景技術】
【０００２】
従来の光演出システムとして、特許文献１に記載されたものが知られている。この特許文献１に記載された光演出システムは、発光色の異なる複数の光源をそれぞれ備え、調光データを受けて各光源の光出力を制御する複数台の光演出器具と、前記複数の光演出器具それぞれにおける光源の発光のタイミング及び光出力を指定する演出データを生成し、該演出データ及び送信先となる前記光演出器具を指定する情報を含む制御データを前記光演出器具に伝送する制御装置と、前記制御装置と前記光演出器具との間に介在し、制御データから各光演出器具における各光源の時刻毎の光出力を決定する調光データを光演出器具に対して出力する器具制御装置とを備え、更に、前記複数の光演出器具のうちの少なくとも１台は前記器具制御装置に接続され、残りの光演出器具は光演出器具同士で接続され、また、前記器具制御装置から出力される調光データをシリアル伝送する制御線に接続されるとともに先頭から規定個数の調光データを取り込んで光源の制御に用い残りの調光データを他の光演出器具に転送するデータ受送信部を備える。
【先行技術文献】
【特許文献】
【０００３】
【特許文献１】特開２００５−１５８５０５号公報
【発明の概要】
【発明が解決しようとする課題】
【０００４】
しかしながら、従来の光演出システムでは、光演出器具に調光データが来なかったり、調光データに異常があったり、光演出器具そのものに異常が発生した場合に、光源が消灯してしまい、特に景観照明では問題になるという課題があった。特に、上述した特許文献１に記載された従来の光演出システムでは、器具制御装置から出力される調光データを光演出器具同士でシリアル伝送しているので、１台の光演出器具が故障すると、それ以降に接続された光演出器具には演出データが送られず、これらの光演出器具は消灯となる。
【０００５】
本発明は、係る事情に鑑みてなされたものであり、光演出器具に調光データが来なかったり、調光データに異常があったり、光演出器具そのものに異常が発生した場合でも光源が消灯することがなく、景観照明でも問題になり難い光演出システムを提供することを目的とする。
【課題を解決するための手段】
【０００６】
本発明の光演出システムは、光源の点灯状態を指示するデジタル信号を生成して出力する制御装置と、前記制御装置と制御線を介して接続され光演出器具とを具備する光演出システムであって、前記光演出器具は、光源と、前記制御装置から出力される前記デジタル信号を受けて、前記光源の光出力を制御するマイクロコンピュータと、異常動作を検出した場合に、前記マイクロコンピュータによる前記光源の光出力の制御に関わらず、予め設定された状態で点灯するように制御する異常検出制御部とを具備する。
【０００７】
上記構成によれば、光演出器具へ伝送されるデジタル信号にトラブルが発生した場合やマイクロコンピュータそのものが異常動作した場合に、光演出器具の光源が全く点灯しない状態にはならず、予め設定された状態で点灯するので、景観照明等にて問題となることを防ぐことができる。
【０００８】
また、上記構成において、前記光演出器具を複数具備し、前記複数の光演出器具のうちの１つが前記制御装置と接続され、残りの光演出器具が光演出器具同士で直列接続されて、前記制御装置から出力されるデジタル信号が前記複数の光演出器具間で順次伝送される構成を成し、前記複数の光演出器具の夫々は、前記デジタル信号を受信する信号入力部と、前記信号入力部で受信されて前記マイクロコンピュータで利用された後の前記デジタル信号を他の前記光演出器具へ出力する信号出力部とを更に具備する。
【０００９】
上記構成によれば、光演出器具へ伝送されるデジタル信号にトラブルが発生した場合で、その原因が制御装置にある場合は、全ての光演出器具が全く点灯しない状態にはならず、予め設定された状態で点灯し、その原因が光演出器具にある場合は、当該光演出器具以降の光演出器具が全く点灯しない状態にはならず、予め設定された状態で点灯するので、景観照明等にて問題となることを防ぐことができる。
【００１０】
前記異常検出制御部は、前記マイクロコンピュータの出力端子の電圧の時間的変化を観測することで異常検出するのが望ましい。
【００１１】
また、前記異常検出制御部は、一定時間以上電圧変化が無い場合に異常動作と判断するのが望ましい。
【００１２】
また、前記異常検出制御部は、電源投入時やリセットスイッチ操作時に、マイクロコンピュータのリセットが解除されてから異常検知動作を行うのが望ましい。
【００１３】
また、前記異常検出制御部は、異常動作を検知した場合に、前記光源を固定色又は固定の明るさで点灯させるのが望ましい。
【００１４】
前記光源は、赤色、緑色及び青色の３色の発光ダイオードが望ましい。
【発明の効果】
【００１５】
本発明は、光演出器具に光源の点灯状態を指示するデジタル信号が来なかったり、該デジタル信号に異常があったり、光演出器具そのものに異常が発生した場合でも光源が消灯することがなく、景観照明でも問題になり難い光演出システムを提供できる。
【図面の簡単な説明】
【００１６】
【図１】本発明の実施の形態１に係る光演出システムの概略構成を示すブロック図
【図２】本発明の実施の形態２に係る光演出システムの概略構成を示すブロック図
【図３】図２の光演出システムの光演出器具の概略構成を示すブロック図
【図４】本発明の実施の形態３に係る光演出システムの光演出器具の概略構成を示すブロック図
【図５】本発明の実施の形態３に係る光演出システムの制御装置から出力されるデジタル信号を示す図
【図６】本発明の実施の形態３に係る光演出システムの光演出器具の応用例の概略構成を示すブロック図
【図７】本発明の実施の形態４に係る光演出システムの光演出器具の概略構成を示すブロック図
【図８】図７の光演出システムの光演出器具の遅延機能付きリセットの回路構成図
【図９】図７の光演出システムの光演出器具の遅延機能付きリセットが異常を検出したときに出力する異常検出信号を示す図
【図１０】本発明の実施の形態４に係る光演出システムの光演出器具の応用例の概略構成を示すブロック図
【図１１】本発明の実施の形態５に係る光演出システムの光演出器具の概略構成を示すブロック図
【図１２】図１１の光演出システムの光演出器具の具体例の回路構成図
【図１３】本発明の実施の形態５に係る光演出システムの光演出器具の応用例の概略構成を示すブロック図
【発明を実施するための形態】
【００１７】
以下、本発明を実施するための好適な実施の形態について、図面を参照して詳細に説明する。
【００１８】
（実施の形態１）
図１は、本発明の実施の形態１に係る光演出システムの概略構成を示すブロック図である。同図において、本実施の形態の光演出システムは、制御装置２と、光演出器具３Ａとを備え、制御装置２と光演出器具３Ａとが制御線４を介して接続されている。制御装置２は、光演出器具３Ａの光源の発光のタイミング及び光出力を指定するデジタル信号を生成して出力する。
【００１９】
光演出器具３Ａは、マイクロコンピュータ（以下、マイコンと呼ぶ）３１と、異常検出制御部３２と、光源３３とを備える。マイコン３１の出力端子ＯＵＴ１には光源３３が接続されており、出力端子ＯＵＴ２には異常検出制御部３２が接続されている。光源３３には、Ｒ（赤色）、Ｇ（緑色）及びＢ（青色）の３色の発光ダイオードが用いられる。なお、発光ダイオードに限定されるものではなく白熱ランプや蛍光ランプでも構わない。また、発光ダイオードを用いる場合、単色のものであってもよい。
【００２０】
制御装置２から光演出器具３Ａへ出力されたデジタル信号が、光演出器具３Ａのマイコン３１で処理される。マイコン３１は、出力端子ＯＵＴ１に接続された光源３３をデジタル信号の指示する状態に変化させる。マイコン３１は、制御装置２からのデジタル信号が正常である場合、出力端子ＯＵＴ２から一定のパターンで変化を繰り返す信号を出力するが、制御装置２からのデジタル信号が異常である場合、正常時の信号とは異なる特定不能な信号を出力することになる。
【００２１】
マイコン３１の出力端子ＯＵＴ２に接続された異常検出制御部３２は、マイコン３１の出力端子ＯＵＴ２から出力される信号の状態を検出し、正常時には何もせず、異常時にはマイコン３１の光源３３に対する出力状態に関わらず、光源３３を予め設定された状態で点灯させる。この場合、予め設定された状態とは、例えば固定の色又は固定の明るさである。
【００２２】
このように本実施の形態の光演出システムによれば、マイコン３１は、制御装置２から出力されたデジタル信号が正常である場合、出力端子ＯＵＴ２から一定のパターンで変化を繰り返す信号を出力し、制御装置２から出力されたデジタル信号が異常である場合、正常時の信号とは異なる信号を出力し、異常検出制御部３２は、出力端子ＯＵＴ２から出力される信号の状態を検出して、異常時にはマイコン３１の光源３３に対する出力状態に関わらず、光源３３を予め設定された状態で点灯させる。
【００２３】
したがって、光演出器具３Ａへ伝送されるデジタル信号にトラブルが発生した場合、光演出器具３Ａが全く点灯しない状態にはならず、予め設定された状態で点灯するので、景観照明等にて問題となることを防ぐことができる。
【００２４】
また、マイコン３１の出力端子ＯＵＴ２から出力される信号の状態により異常を判断することから、マイコン３１そのものが暴走したことも、異常検出制御部３２で検出可能であり、マイコン３１の光源３３に対する出力状態に関わらず、光源３３を予め設定された状態で点灯させる。
【００２５】
なお、上記実施の形態において、異常検出制御部３２が接続されるマイコン３１の出力端子は複数であっても同様の効果が得られる。
【００２６】
（実施の形態２）
図２は、本発明の実施の形態２に係る光演出システムの概略構成を示すブロック図である。同図において、本実施の形態の光演出システムは、１つの制御装置２と、複数の光演出器具３Ｂとを備え、複数の光演出器具３Ｂのうちの１つが制御装置２と接続されており、残りの光演出器具３Ｂが光演出器具同士で接続されている。
【００２７】
各光演出器具３Ｂは、制御装置２から出力される調光用のデジタル信号をシリアル伝送する制御線４に接続されるとともに、先頭から規定個数のデジタル信号を取り込んで光源の制御に用い、残りの調光用のデジタル信号を他の光演出器具３Ｂに転送する。制御装置２は、複数の光演出器具３Ｂそれぞれにおける光源の発光のタイミング及び光出力を指定するデジタル信号を生成して出力する。
【００２８】
図３は、光演出器具３Ｂの概略構成を示すブロック図である。同図に示すように、光演出器具３Ｂは、マイコン３１と、異常検出制御部３２と、光源３３と、信号入力部３４と、信号出力部３５とを備える。マイコン３１の出力端子ＯＵＴ１には光源３３が接続されており、出力端子ＯＵＴ２には異常検出制御部３２が接続されている。また、マイコン３１の出力端子ＯＵＴ３には信号出力部３５が接続されており、入力端ＩＮ１には信号入力部３４が接続されている。光演出器具３Ｂの信号入力部３４が受信したデジタル信号がマイコン３１に入力されてマイコン３１で処理される。マイコン３１は、出力端子ＯＵＴ１に接続された光源３３をデジタル信号の指示する状態に変化させる。
【００２９】
マイコン３１は、信号入力部３４が受信したデジタル信号が正常である場合、出力端子ＯＵＴ２から一定のパターンで変化を繰り返す信号を出力するが、信号入力部３４が受信したデジタル信号が異常である場合、正常時の信号とは異なる信号を出力する。
【００３０】
マイコン３１の出力端子ＯＵＴ２に接続された異常検出制御部３２は、出力端子ＯＵＴ２から出力される信号の状態を検出し、異常時にはマイコン３１の光源３３に対する出力状態に関わらず、光源３３を予め設定された状態で点灯させる。
【００３１】
このように本実施の形態の光演出システムによれば、マイコン３１は、信号入力部３４が受信したデジタル信号が正常である場合、出力端子ＯＵＴ２から一定のパターンで変化を繰り返す信号を出力し、信号入力部３４が受信したデジタル信号が異常である場合、正常時の信号とは異なる信号を出力し、異常検出制御部３２は、出力端子ＯＵＴ２から出力される信号の状態を検出して、異常時にはマイコン３１の光源３３に対する出力状態に関わらず、光源３３を予め設定された状態で点灯させる。
【００３２】
したがって、光演出器具３Ｂへ伝送されるデジタル信号にトラブルが発生した場合で、その原因が制御装置２にある場合は、全ての光演出器具３が全く点灯しない状態にはならず、予め設定された状態で点灯し、その原因が光演出器具３Ｂにある場合は、当該光演出器具３Ｂ以降の光演出器具３Ｂが全く点灯しない状態にはならず、予め設定された状態で点灯するので、景観照明等にて問題となることを防ぐことができる。
【００３３】
また、マイコン３１の出力端子ＯＵＴ２から出力される信号の状態により異常を判断することから、マイコン３１そのものが暴走したことも、異常検出制御部３２で検出可能であり、暴走したマイコン３１を有する光演出器具３Ｂ以降の光演出器具３Ｂが全く点灯しない状態にはならず、予め設定された状態で点灯する。
【００３４】
従来の光演出システムでは、１台の光演出器具が何らかの理由で故障した場合、次段以降に接続された光演出器具が全て不点灯となる場合が多くあり、特に景観照明等では問題となっていたが、本発明によりこの問題を解決でき、１台の光演出器具３Ｂが故障しても、次段以降に接続された光演出器具３Ｂの点灯を維持することができる。また、異常検出制御部３２を追加するだけで済むので、コストアップを最小限に抑えることができる。
【００３５】
なお、異常検出制御部３２が接続されるマイコン３１の出力端子は複数であっても同様の効果が得られる。
【００３６】
（実施の形態３）
図４は、本発明の実施の形態３に係る光演出システムの光演出器具３Ｃの概略構成を示すブロック図である。なお、図４において前述した図３の光演出器具３Ｂと共通する部分には同一の符号を付けてその説明を省略する。
【００３７】
前述した実施の形態２に係る光演出システムの光演出器具３Ｂでは、異常検出制御部３２をマイコン３１の出力端子ＯＵＴ２に接続して、マイコン３１の動作を監視するようにしたが、実施の形態３に係る光演出システムの光演出器具３Ｃでは、異常検出制御部３２Ｃを信号出力部３５の出力側に接続して、デジタル信号の状態を監視するようにしている。
【００３８】
信号入力部３４によって受信されたデジタル信号がマイコン３１に入力されて、マイコン３１にて処理される。マイコン３１は、出力端子ＯＵＴ１に接続された光源３３をデジタル信号の指示する状態に変化させる。更に、マイコン３１は、次段の光演出器具３Ｃに送る信号を、信号出力部３５を介して出力する。
【００３９】
異常検出制御部３２Ｃは、信号出力部３５から出力されるデジタル信号の電圧を監視している。制御装置２から出力されるデジタル信号は、図５に示すように、特定個数の演出データ群ＤＡを一定の周期で繰り返し送信されるものであり、（一定周期時間−演出データ群時間）の時間、信号電圧が“変化しない”状態になる。異常検出制御部３２Ｃは、この信号電圧が“変化しない”時間が、（一定周期時間−演出データ群時間）の時間以上になれば異常と判断し、マイコン３１の光源３３に対する出力状態に関わらず、光源３３を予め設定された状態で点灯させる。
【００４０】
このように本実施の形態の光演出システムによれば、光演出器具３Ｃへ伝送されるデジタル信号にトラブルが発生した場合で、その原因が制御装置２側にある場合は、全ての光演出器具３が全く点灯しない状態にはならず、予め設定された状態で点灯し、その原因が光演出器具３Ｃ側にある場合は、原因がある光演出器具３Ｃ以降の光演出器具３Ｃが全く点灯しない状態にはならず、予め設定された状態で点灯するので、景観照明等にて問題となることを防ぐことができる。
【００４１】
また、マイコン３１の出力端子ＯＵＴ３に接続された信号出力部３５から出力されるデジタル信号の電圧により異常を判断しているため、マイコン３１が暴走したことも、異常検出制御部３２Ｃで検出可能である。更に、マイコン３１の特定出力端子を監視する必要がないため、当該監視のためのマイコンソフトを作成する必要がなく、安価な光演出システムを提供できる。
【００４２】
なお、異常検出制御部３２Ｃは、図６に示すように、信号出力部３５が接続されているマイコン３１の出力端子ＯＵＴ３に接続されて、そのデジタル信号電圧を監視する構成としても同様の効果が得られる。
【００４３】
（実施の形態４）
図７は、本発明の実施の形態４に係る光演出システムの光演出器具３Ｄの概略構成を示すブロック図である。なお、図７において前述した図３の光演出器具３Ｂと共通する部分には同一の符号を付けてその説明を省略する。
【００４４】
本実施の形態に係る光演出システムの光演出器具３Ｄは、マイコン３１と、光源３３と、信号入力部３４と、信号出力部３５と、遅延機能付きリセットＩＣ６０と、制御部６１とを備える。マイコン３１の出力端子ＯＵＴ１には光源３３が接続されており、出力端子ＯＵＴ３には信号出力部３５が接続されている。また、マイコン３１の入力端子ＩＮ１には信号入力部３４が接続されている。遅延機能付きリセットＩＣ６０は、信号出力部３５の出力側に接続されていて、制御部６１を経て光源３３を制御する。
【００４５】
信号入力部３４にて受信されたデジタル信号がマイコン３１に入力されて、マイコン３１にて処理される。マイコン３１は、出力端子ＯＵＴ１に接続された光源３３をデジタル信号の指示する状態に変化させる。更に、マイコン３１は、次段の光演出器具３Ｄに送る信号を、信号出力部３５を介して出力する。
【００４６】
図８は、遅延機能付きリセットＩＣ６０の回路構成図である。同図において、遅延機能付きリセットＩＣ６０は、ヒステリシス特性を持つコンパレータ６０１と、ヒステリシス特性を持つバッファ６０２と、ＮＰＮ型のトランジスタ６０３及び６０４と、内部電源６０５と、電流源６０６及び６０７とを有して構成される。
【００４７】
コンパレータ６０１は、反転入力端が入力端子６０８に接続されており、出力端がトランジスタ６０３のベースに接続されている。また、コンパレータ６０１の＋側電源入力端が電源端子６０９に接続され、−側電源入力端が接地端子６１０に接続されている。内部電源６０５は、＋電極端がコンパレータ６０１の非反転入力端に接続され、−電極端がコンパレータ６０１の−側電源入力端に接続されている。トランジスタ６０３は、コレクタがバッファ６０２の入力端と遅延容量端子６１１に接続されており、エミッタが接地端子６１０に接続されている。バッファ６０２は、出力端がトランジスタ６０４のベースに接続されている。トランジスタ６０４は、コレクタが出力端子６１２に接続されており、エミッタが接地端子６１０に接続されている。電流源６０６は、電源端子６０９とトランジスタ６０３のコレクタとの間に接続されており、電流源６０７は、電源端子６０９とトランジスタ６０４のコレクタとの間に接続されている。
【００４８】
遅延容量端子６１１にはコンデンサ６２が接続される。このコンデンサ６２は、デジタル信号の電圧が“変化しない”状態になる（一定周期時間−演出データ群時間）の時間以上の遅延時間を設定するためのコンデンサであり、例えば４７００ｐＦ〜１０μＦの容量のコンデンサであり、このコンデンサ６２を用いることで、前述した実施の形態３で記載した異常検出制御部３２Ｃと同様の機能を持たせることができる。
【００４９】
遅延機能付きリセットＩＣ６０は、信号出力部３５から出力されるデジタル信号の電圧を監視しており、このデジタル信号電圧の“変化しない”時間が、コンデンサ６２により決定される遅延時間以上になれば、図９に示すような異常検出信号Ｓ１を出力し、制御部６１を介して、マイコン３１の光源３３に対する出力状態に関わらず、光源３３を予め設定された状態で点灯させる。すなわち、制御部６１は、遅延機能付きリセットＩＣ６０から異常検出信号Ｓ１が出力された場合に、光源３３を予め設定された状態で点灯させる。
【００５０】
このように本実施の形態の光演出システムによれば、光演出器具３Ｄへ伝送されるデジタル信号にトラブルが発生した場合で、その原因が制御装置２側にある場合は、全ての光演出器具３Ｄが全く点灯しない状態にはならず、予め設定された状態で点灯し、その原因が光演出器具３Ｄ側にある場合は、原因がある光演出器具３Ｄ以降の光演出器具３Ｄが全く点灯しない状態にはならず、予め設定された状態で点灯するので、景観照明等にて問題となることを防ぐことができる。
【００５１】
また、マイコン３１の出力端子ＯＵＴ３に接続された信号出力部３５から出力されるデジタル信号の電圧により異常を判断しているため、マイコン３１が暴走したことも遅延機能付きリセットＩＣ６０で検出可能である。更に、マイコン３１の特定出力端子を監視する必要がないため、当該監視のためのマイコンソフトを作成する必要がなく、安価な光演出システムを提供できる。
【００５２】
なお、図１０に示すように、遅延機能付きリセットＩＣ６０が、信号出力部３５が接続されているマイコン３１の出力端子ＯＵＴ３に接続されていて、そのデジタル信号電圧を監視する構成になっていても同様の効果が得られる。
【００５３】
（実施の形態５）
図１１は、本発明の実施の形態５に係る光演出システムの光演出器具３Ｅの概略構成を示すブロック図である。なお、図１１において前述した図３の光演出器具３Ｂ及び図７の光演出器具３Ｄと共通する部分には同一の符号を付けてその説明を省略する。
【００５４】
本実施の形態に係る光演出システムの光演出器具３Ｅは、図７の光演出器具３Ｄと同様の回路構成であるが、リセットＩＣ６３を有するものである。リセットＩＣ６３は、電源投入時やリセットスイッチ（図示略）の操作時にマイコン３１にリセットをかけるものである。リセットＩＣ６３は、マイコン３１と同一電源に接続されていて、出力端がマイコン３１の入力端子ＩＮ２と制御部６１に接続されている。
【００５５】
光演出器具３Ｅは、図７の光演出器具３Ｄと同様に、遅延機能付きリセットＩＣ６０が信号出力部３５のデジタル信号の電圧を監視しており、デジタル信号電圧の“変化しない”時間が、コンデンサ６２（図８参照）により決定される遅延時間以上になれば、異常検出信号Ｓ１を出力し、制御部６１を介してマイコン３１の光源３３に対する出力状態に関わらず、光源３３を予め設定された状態で点灯させる。
【００５６】
ところで、電源投入時やリセットスイッチ操作時に、リセットＩＣ６３によってマイコン３１が一時的に動作を停止するため、その間、デジタル信号が送出されなくなる。一時的でもデジタル信号が送出されなくなると、遅延機能付リセットＩＣ６０がデジタル信号に異常があると判断し、予め設定された状態で光源３３を点灯させてしまう虞がある。本実施の形態では、この不具合を防ぐために、遅延機能付きリセットＩＣ６０の入力にリセットＩＣ６３の出力を印加するようにして、マイコン３１のリセット解除後からデジタル信号電圧の監視を開始するようにしている。これにより、電源投入時やリセットスイッチ操作時に、光源３３が一瞬点灯してしまうといった不快な演出となることを防止することができる。
【００５７】
図１２は、光演出器具３Ｅの具体例の回路構成図である。同図において、遅延機能付きリセットＩＣ６０は、信号出力部３５のデジタル信号電圧を監視しており、デジタル信号電圧の“変化しない”時間が、コンデンサ６２（図８参照）により決定される遅延時間以上になれば、異常検出信号Ｓ１を出力するが、異常検出信号は、制御部６１の一部であるＮＡＮＤ ＩＣ６１−１によりリセットＩＣ６３の出力が、“Ｈｉｇｈ”のときだけ制御部６１の他のＮＡＮＤ ＩＣ６１−２、６１−３の入力端に送られる。他のＮＡＮＤ ＩＣ６１−２、６１−３の他の入力端にマイコン３１の出力端が接続されており、異常検出信号Ｓ１が、制御部６１の一部であるＮＡＮＤ ＩＣ６１−１により送られた場合は、マイコン３１の出力状態に関わらず、光源３３を点灯させるので、電源投入時やリセットスイッチ操作時にリセットＩＣ６３の出力が“Ｌｏｗ“の期間、光源３３が一瞬点灯して、不快な演出となることを防止している。
【００５８】
このように本実施の形態の光演出システムによれば、光演出器具３Ｅへ伝送されるデジタル信号にトラブルが発生した場合で、その原因が制御装置２側にある場合は、全ての光演出器具３Ｅが全く点灯しない状態にはならず、予め設定された状態で点灯し、その原因が光演出器具３Ｅ側にある場合は、原因がある光演出器具３Ｅ以降の光演出器具３Ｅが全く点灯しない状態にはならず、予め設定された状態で点灯するので、景観照明等にて問題となることを防ぐことができる。
【００５９】
また、マイコン３１の出力端子ＯＵＴ３に接続された信号出力部３５から出力されるデジタル信号の電圧により異常を判断しているため、マイコン３１が暴走したことも遅延機能付きリセットＩＣ６０で検出可能である。更に、マイコン３１の特定出力端子を監視する必要がないため、当該監視のためのマイコンソフトを作成する必要がなく、安価な光演出システムを提供できる。
【００６０】
また、遅延機能付きリセットＩＣ６０の入力端にリセットＩＣ６３の出力を印加するようにして、マイコン３１のリセット解除後からデジタル信号電圧の監視を開始するようにしたので、電源投入時やリセットスイッチ操作時に、光源３３が一瞬点灯してしまうといった不快な演出となることを防止することができる。
【００６１】
なお、遅延機能付きリセットＩＣ６０は、図１３に示すように、信号出力部３５が接続されているマイコン３１の出力端子ＯＵＴ３に接続されていて、そのデジタル信号電圧を監視する構成になっていても同様の効果が得られる。
【符号の説明】
【００６２】
２  制御装置
３Ａ〜３Ｅ  光演出器具
４  制御線
３１  マイコン
３２、３２Ｃ  異常検出制御部
３３  光源
３４  信号入力部
３５  信号出力部
６０  遅延機能付きリセットＩＣ
６１  制御部
６１−１、６１−２、６１−３  ＮＡＮＤ ＩＣ
６２  コンデンサ
６３  リセットＩＣ
６０１  コンパレータ
６０２  バッファ
６０３、６０４  トランジスタ
６０５  内部電源
６０６、６０７  電流源
６０８  入力端子
６０９  電源端子
６１０  接地端子
６１１  遅延容量端子
６１２  出力端子
【図１】
2011029055.tif 000003
【図２】
2011029055.tif 000004
【図３】
2011029055.tif 000005
【図４】
2011029055.tif 000006
【図５】
2011029055.tif 000007
【図６】
2011029055.tif 000008
【図７】
2011029055.tif 000009
【図８】
2011029055.tif 000010
【図９】
2011029055.tif 000011
【図１０】
2011029055.tif 000012
【図１１】
2011029055.tif 000013
【図１２】
2011029055.tif 000014
【図１３】
2011029055.tif 000015